(57)【要約】【課題】現場において内装ボードの表面に桟の高さ位置に対応する線引きを行う手間が解消されると共に、各現場毎に異なる桟の多様な高さ位置に対し極めて正確に内装ボードを釘打ち出来、しかも美麗な体裁を持つ建物用内装ボードを提供する。【解決手段】建物Ａの間柱４間に直交して上下方向へ複数設けられる横木５に対して打ちつけられる建物用内装ボードであって、この内装ボード本体１の面内には、釘打ち付けの際に横木５の高さ位置に応じて選択される釘打ち用指標線２が多数配備されていることを特徴とする。【選択図】　　　　　図１
2004052357.tif 000002
【特許請求の範囲】
【請求項１】
建物の間柱間に直交して上下方向へ複数設けられる横木に対して打ち付ける建物用内装ボードであって、この内装ボード本体の面内には、釘打ち付けの際に横木の高さ位置に応じて選択される釘打ち用指標線が多数配備されていることを特徴とする建物用内装ボード。
【発明の詳細な説明】
【０００１】
【発明の属する技術分野】
この発明は、建物の内装材、例えば石膏ボードのような建物用内装ボードに関する。
【０００２】
【従来の技術】
図５は、建物用内装ボードが石膏ボードである従来例を示している。
この石膏ボード（内装ボード本体）１は、建物の内装材として天井や内壁に用いられる矩形板状の石膏材で、１８０ｃｍ×９０ｃｍ、２００ｃｍ×９０ｃｍ、２２０ｃｍ×９０ｃｍ、又は２４０ｃｍ×９０ｃｍなど各種寸法が用意された規格板である。
【０００３】
この石膏ボード１は、建物（例えば木造家屋）の間柱４、４間に直交して設けられる横木、つまり桟（又は「貫き」）５、５、・・５に対して釘打ちすることで、防火性に優れた内装材として利用されている。更に、この横木５に対し釘打ちされた石膏ボード１の表面には、化粧クロス（化粧壁紙）等が貼着され、装飾内装板に仕上げられる。
【０００４】
ところで、打ち付けた内装板材が、「反る」のを防ぐための桟（貫き）５は、天井までの高さに対応して複数本がほぼ等間隔となるように間柱４に対し打ち付けられる。このため、天井高さによって、桟５の取付け高さ位置が異なる。
【０００５】
図５で示すように、作業者が石膏ボード１を桟５に立てかけると、石膏ボード１によって桟５が隠れ、桟５の高さ位置が見えなくなる。
このため、現在は、石膏ボード１の表面に予め桟５の高さ位置に対応する線を描き（線引きし）、この引いた線上に釘打ちをして石膏ボード１を桟５に固定することが行われている。
【０００６】
【発明が解決しようとする課題】
従来は、現場で、予め桟の高さ位置を測り、内装ボード本体（石膏ボード）の表面に、計測した高さ位置に応じた線引きをしている。つまり、桟の高さ位置を線引きする（線を描く）ことで明示している。
【０００７】
ところが、この線引き作業は、熟練者でないと夜間など暗い現場において正確に行うことは難しい許かりでなく、ボード張り空間ごとに桟の高さ寸法が異なる等の場合には、計測作業、線引き作業が煩わしく手間である。
【０００８】
また、内装ボード本体（石膏ボード）の表面に、現場において墨入れなどで複数本の線引きをすると、石膏ボード表面がきたなく汚れる。従って、釘打ちした石膏ボードの表面に更に化粧クロスを貼着する必要がある等の不利があった。
【０００９】
この発明は、以上のような課題を解消させ、現場において内装ボードの表面に桟の高さ位置に対応する線引きを行う手間が解消されると共に、各現場毎に異なる桟の多様な高さ位置に対し極めて正確に内装ボードを釘打ちでき、しかも美麗な体裁を持つ建物用内装ボードを提供することを目的とする。
【００１０】
【課題を解決するための手段】
この目的を達成させるために、この発明の建物用内装ボードでは次のような構成としている。
建物用内装ボードは、建物の間柱間に直交して上下方向へ複数設けられる横木に対して打ち付ける建物用内装ボードであって、この内装ボード本体の面内には、釘打ち付けの際に横木の高さ位置に応じて選択される釘打ち用指標線が多数配備されていることを特徴とする。
【００１１】
このような構成を有する建物用内装ボードでは、ボード表面に多数の釘打ち用指標線が配備してある。例えば、ボード表面の面内に一定間隔を開いた複数の釘打ち用指標線が印刷形成され、この複数の釘打ち用指標線が全体として意匠模様を構成するように配備してある。
【００１２】
従って、内装ボードを取付ける際、桟に内装ボードを立てかけた状態で、多数の平行する釘打ち用指標線の中から、桟の高さ位置に対応する一の釘打ち用指標線を目で確認して選択する。
【００１３】
この選択した釘打ち用指標線上に釘を打ちつけることで、実際には桟の高さ位置が見えなくとも、正確に桟に対し釘打ちし得、内装ボードと桟とを止着できる。しかも、内装ボード本体の表面は、多数の釘打ち用指標線が全体として美麗な意匠を構成するため、内装ボード表面へのクロス張りが不用となる。
【００１４】
【発明の実施の形態】
以下、図面に基づき本発明に係る建物用内装ボードの具体的な実施の形態を説明する。
図２は、建物用内装ボードの具体的な実施の形態を示す説明図である。
実施の形態では、建物用内装ボード（内装ボード本体）が石膏ボードである例をを示している。
【００１５】
実施の形態の石膏ボード１は、従来公知の建物の内装材として天井、内壁に用いる板状石膏材であって、表面の面内に複数の後述する釘打ち用指標線２が直接、印刷形成されている点に特徴がある。
【００１６】
図２で示すように、石膏ボード（内装ボード本体）１は実施の形態では例えば２００ｃｍ×９０ｃｍの板材で、表面に釘打ち用指標線２が配備してある。
【００１７】
この釘打ち用指標線２は、複数の横線のみから構成する、或いは複数の横線と縦線とから構成する。例えば、所謂「横縞」「滝縞」「大名縞」「子持ち縞」「棒縞」などの縞柄、或いは「翁格子」「吉野格子」「高麗格子」などの格子柄のように、公知の様々な線パターンが採用される。
【００１８】
実施の形態では、図２で示すように、内装ボード本体１片面（表面）の面内に、例えば同じ細線である複数の釘打ち用指標線２ａ、２ｂ、２ｃ・・・・・・２ｘが、上下方向へ等間隔（例えば１０ｃｍ）開いて複数平行状に配備される。
【００１９】
更に、この多数の平行状の細線２ａ、２ｂ、２ｃ・・・２ｘから成る釘打ち用指標線２の他に、この細線２ａ、２ｂ、２ｃ・・・２ｘと交差する縦線（縦状細線３ａ、３ｂ、３ｃ・・３ｘ）３を配備することで、全体として格子模様を構成している。
【００２０】
図３は、釘打ち用指標線２の他の実施の形態を示す斜視図である。
この実施の形態では、釘打ち用指標線２は、所定間隔開いた平行状の細線２１、太線２２、破線２３が一組となり、この一組が繰り返し並列されて構成されている。
【００２１】
この構成の釘打ち用指標線２の場合は、平行状に隣り合う線が異なる線であるために、これ自体、全体として模様を構成すると共に、隣合う線が異なる結果、桟の高さ位置を確認する際の目印として、隣合う線と紛らわしくなく、一層明瞭に確認・選択し得る。
【００２２】
また、図４に示す釘打ち用指標線２は、平行状に隣合う線が同じ太さで、５本２ａ、２ｂ、２ｃ、２ｄ、２ｅが一組となって構成される、一組と他の一組との間には、大きな間隙が開くように設けることで、全体として模様線を構成するようになっている。
【００２３】
この図４に示す釘打ち用指標線２の場合は、例えば天井までの高さが同じである、多数の空間に取り付ける内装板材の場合に有効である。つまり、所定間隔を開いて上下方向へ平行状に配置される複数の桟は、天井までの高さが同じである空間においては、大体同じ高さ位置となっており、この場合に発生する位置ずれは僅かである。
【００２４】
従って、このようなケースでは、内装ボード本体１の表面の面内全体に釘打ち用指標線２を形成する必要がなく、例えば１０ｃｍ間隔の５本の細線２ａ、２ｂ、２ｃ、２ｄ、２ｅから成る一組の釘打ち用指標線２は、５０ｃｍ間隔開いて設けるだけで、充分に対応し得る。
【００２５】
このような構成を有する内装ボード本体（石膏ボード）１は、図１で示すように、取付けられる。石膏ボード１は、建物（例えば木造家屋）Ａの桟（「貫き」）５に釘打ちされる。
【００２６】
建物Ａは、コンクリート基礎Ｘ上に土台Ｙが止着され、この土台Ｙ上に柱（通し柱）Ｚが立てられている。そして、通し柱Ｚと通し柱Ｚとの間には、数本の間柱４が配備されている。更に、桟（「貫き」）は５は、間柱４と隣合う間柱４とを横に貫いて連ねられている。
【００２７】
図１では、土台Ｙと梁６との間の高さが２４０ｃｍあり、且つ土台Ｙと胴差し７との間の高さが２００ｃｍである空間例を示している。
梁６と土台Ｙとの高さ空間が、２４０ｃｍであるため、間柱４間に直交する３本の桟５ａ、５ｂ、５ｃは、例えばそれぞれ６０ｃｍ間隔開いて平行状に配備されている。
【００２８】
また、土台Ｙと胴差し７との間の高さが２００ｃｍであるため、間柱４間に直交する３本の桟５ｄ、５ｅ、５ｆは、例えば５０ｃｍ間隔開いて平行状に配備されている。
【００２９】
このような室空間に対し、石膏ボード１を打ちつける場合は、梁６側に長さ２４０ｃｍの石膏ボード１を立てかける。立てかけた石膏ボード１により、桟５ａ、５ｂ、５ｃの姿が隠され外観できない。
【００３０】
しかし、石膏ボード１の表面には、上下方向へ一定間隔開いて平行状に複数の釘打ち用指標線２が印刷形成して（描いて）ある。従って、多数の釘打ち用指標線２の中から、桟５ａ、５ｂ、５ｃの高さ位置に対応する特定の釘打ち用指標線２Ａ・２Ａ・２Ａを選択し、この選択した指標線２Ａ上に釘８を打ち込む。
【００３１】
このように、多数の釘打ち用指標線２の中から、桟（５ａ、５ｂ、５ｃ、５ｄ、５ｅ、５ｆ）５に対応する釘打ち用指標線２を選択するだけで、選択した釘打ち用指標線２Ａ上に釘８を打ち込むことで、桟５の位置が見えなくとも石膏ボード１を正確に桟５に対し打ちつけることができる。
【００３２】
また、石膏ボード１の表面の多数の釘打ち用指標線２は、全体として美麗なパターン線模様に形成してあるため、建物用内装材として美麗な体裁を保持でき、内装ボード本体１の表面にクロスを貼着する必要がない。
【００３３】
【発明の効果】
この発明では、以上のように、建物の間柱間に直交して上下方向へ複数設けられる横木に対して打ち付ける建物用内装ボードであって、内装ボード本体の表面内には横木の高さ位置に応じて選択される釘打ち用指標線を多数配備することとしたから、多数の指標線の中から桟の高さ位置に対応する指標線を選択するだけで正確な釘打ち付けができる。
【００３４】
単に、桟の高さ位置に対応する指標線を選択するだけであるから、現場ごとに異なる桟の高さ寸法を計測する手間が必要ない許かりでなく、内装ボード表面に計測高さの線引きをする等の煩わしい手間が省略でき、暗い現場において正確、且つ迅速な取付作業を実現し得る。
【００３５】
また、多数の釘打ち用指標線は、全体として美麗なパターン模様を構成するように形成されている。従って、従来のように指示線を描いたことによる表面汚れを隠すための表面クロス貼着などの手間が省ける許かりでなく、外観体裁の良い装飾ボードを安価に施工し得る等、発明目的を達成した優れた効果を有する。
【図面の簡単な説明】
【図１】実施の形態の建物用内装ボードを室空間に取付けた状態を示す斜視図である。
【図２】実施の形態の建物用内装ボードを示す斜視図である。
【図３】他の実施の形態の建物用内装ボードを示す斜視図である。
【図４】実施の形態の建物用内装ボードを桟に立てかけた状態を示す説明図である。
【図５】従来の石膏ボードを桟に立てかけた状態を示す説明図である。
【符号の説明】
１　　　内装ボード本体（石膏ボード）
２　　　釘打ち用指標線
３　　　縦模様線
４　　　間柱
５　　　桟
６　　　梁
７　　　胴差し
８　　　釘
【図１】
2004052357.tif 000003
【図２】
2004052357.tif 000004
【図３】
2004052357.tif 000005
【図４】
2004052357.tif 000006
【図５】
2004052357.tif 000007